(57)【要約】【課題】この発明は、ユーザがフォルダの概念を意識することなく、容易にしかも迅速に記録媒体に記録された多数の写真をシームレス表示することを可能とした映像再生装置及び映像再生方法を提供することを目的としている。【解決手段】記録媒体１９が接続されたことを検出する手段６１と、記録媒体１９の接続が検出されたとき、記録媒体１９から所定の映像ファイルフォーマット規格に準拠して作成された特定フォルダを検出する手段６１と、特定フォルダが検出されたとき、特定フォルダ内から所定のデジタル映像信号を取得する手段６１と、取得したデジタル映像信号を再生し映像表示する手段１４とを備える。【選択図】    図２
2006074574.tif 000002
【特許請求の範囲】
【請求項１】
記録媒体が接続されたことを検出する記録媒体検出手段と、
前記記録媒体検出手段により前記記録媒体の接続が検出されたとき、前記記録媒体から所定の映像ファイルフォーマット規格に準拠して作成された特定フォルダを検出するフォルダ検出手段と、
前記フォルダ検出手段により前記特定フォルダが検出されたとき、前記特定フォルダ内から所定のデジタル映像信号を取得する取得手段と、
前記取得手段で取得したデジタル映像信号を再生し映像表示する表示手段とを具備することを特徴とする映像再生装置。
【請求項２】
接続された外部機器に照会することにより、前記外部機器が、デジタル映像信号を記録可能であることを検出する第１の検出手段と、
前記第１の検出手段で検出された外部機器に照会することにより、前記外部機器が、リムーバブル機器であることを検出する第２の検出手段と、
前記第２の検出手段で検出された前記外部機器から所定の映像ファイルフォーマット規格に準拠して作成された特定フォルダを検出するフォルダ検出手段と、
前記フォルダ検出手段により前記特定フォルダが検出されたとき、前記特定フォルダ内から所定のデジタル映像信号を取得する取得手段と、
前記取得手段で取得したデジタル映像信号を再生し映像表示する表示手段とを具備することを特徴とする映像再生装置。
【請求項３】
前記取得手段は、前記特定フォルダ内に格納されている全てのデジタル映像信号を取得することを特徴とする請求項１または２記載の映像再生装置。
【請求項４】
前記取得手段は、前記特定フォルダの下の階層に存在するサブフォルダのうち、先頭のサブフォルダ内に格納されているデジタル映像信号を取得することを特徴とする請求項１または２記載の映像再生装置。
【請求項５】
前記取得手段は、前記特定フォルダの下の階層に存在するサブフォルダのうち、最新の更新日を有するサブフォルダ内に格納されているデジタル映像信号を取得することを特徴とする請求項１または２記載の映像再生装置。
【請求項６】
前記取得手段は、前記特定フォルダの下の階層に存在するサブフォルダのうち、最新の更新日を有するサブフォルダ内にデジタル映像信号が格納されていない場合、次に新しい更新日を有するサブフォルダからデジタル映像信号を取得することを特徴とする請求項５記載の映像再生装置。
【請求項７】
前記取得手段は、前記特定フォルダの下の階層に存在するサブフォルダのうち、最新の更新日を有するデジタル映像信号が格納されているサブフォルダを検索し、そのサブフォルダ内に格納されている全てのデジタル映像信号を取得することを特徴とする請求項１または２記載の映像再生装置。
【請求項８】
前記所定の映像ファイルフォーマット規格に準拠して作成される特定フォルダは、ＤＣＦ規格におけるＤＣＩＭフォルダであることを特徴とする請求項１乃至７いずれかに記載の映像再生装置。
【請求項９】
記録媒体が接続されたことを検出する記録媒体検出手段と、
前記記録媒体検出手段により前記記録媒体の接続が検出されたとき、前記記録媒体に所定の映像ファイルフォーマット規格に準拠して作成された階層化構造を有する複数のフォルダから、予め設定された最大階層及びパス制限の少なくとも一方の範囲内でデジタル映像信号を取得する取得手段と、
前記取得手段で取得したデジタル映像信号を再生し映像表示する表示手段とを具備することを特徴とする映像再生装置。
【請求項１０】
接続された外部機器に照会することにより、前記外部機器が、デジタル映像信号を記録可能であることを検出する第１の検出手段と、
前記第１の検出手段で検出された外部機器に照会することにより、前記外部機器が、リムーバブル機器であることを検出する第２の検出手段と、
前記第２の検出手段で検出された前記外部機器に所定の映像ファイルフォーマット規格に準拠して作成された階層化構造を有する複数のフォルダから、予め設定された最大階層及びパス制限の少なくとも一方の範囲内でデジタル映像信号を取得する取得手段と、
前記取得手段で取得したデジタル映像信号を再生し映像表示する表示手段とを具備することを特徴とする映像再生装置。
【請求項１１】
前記取得手段は、ＪＰＥＧ規格に準拠した形態で符号化されて記録されているデジタル映像信号を取得することを特徴とする請求項１乃至１０いずれかに記載の映像再生装置。
【請求項１２】
接続された外部機器に照会することにより、前記外部機器が、デジタル映像信号を記録可能であることを検出する第１の検出手段と、
前記第１の検出手段で検出された外部機器に照会することにより、前記外部機器が、リムーバブル機器であることを検出する第２の検出手段と、
前記第２の検出手段で検出された前記外部機器からデジタル映像信号を取得する取得手段とを具備することを特徴とする映像再生装置。
【請求項１３】
記録媒体が接続されたことを検出する工程と、
前記記録媒体の接続が検出されたとき、前記記録媒体から所定の映像ファイルフォーマット規格に準拠して作成された特定フォルダを検出する工程と、
前記特定フォルダが検出されたとき、前記特定フォルダ内から所定のデジタル映像信号を取得する工程と、
取得したデジタル映像信号を再生し映像表示する工程とを具備することを特徴とする映像再生方法。
【請求項１４】
接続された外部機器に照会することにより、前記外部機器が、デジタル映像信号を記録可能であることを検出する第１の工程と、
前記第１の工程で検出された前記外部機器に照会することにより、前記外部機器が、リムーバブル機器であることを検出する第２の工程と、
前記第２の工程で検出された前記外部機器から所定の映像ファイルフォーマット規格に準拠して作成された特定フォルダを検出する第３の工程と、
前記特定フォルダが検出されたとき、前記特定フォルダ内から所定のデジタル映像信号を取得する第４の工程と、
取得したデジタル映像信号を再生し映像表示する第５の工程とを具備することを特徴とする映像再生方法。
【請求項１５】
記録媒体が接続されたことを検出する工程と、
前記記録媒体の接続が検出されたとき、前記記録媒体に所定の映像ファイルフォーマット規格に準拠して作成された階層化構造を有する複数のフォルダから、予め設定された最大階層及びパス制限の少なくとも一方の範囲内でデジタル映像信号を取得する工程と、
取得したデジタル映像信号を再生し映像表示する工程とを具備することを特徴とする映像再生方法。
【請求項１６】
接続された外部機器に照会することにより、前記外部機器が、デジタル映像信号を記録可能であることを検出する第１の工程と、
前記第１の工程で検出された前記外部機器に照会することにより、前記外部機器が、リムーバブル機器であることを検出する第２の工程と、
前記第２の工程で検出された前記外部機器に所定の映像ファイルフォーマット規格に準拠して作成された階層化構造を有する複数のフォルダから、予め設定された最大階層及びパス制限の少なくとも一方の範囲内でデジタル映像信号を取得する第３の工程と、
取得したデジタル映像信号を再生し映像表示する第４の工程とを具備することを特徴とする映像再生方法。
【請求項１７】
接続された外部機器に照会することにより、前記外部機器が、デジタル映像信号を記録可能であることを検出する第１の工程と、
前記第１の工程で検出された前記外部機器に照会することにより、前記外部機器が、リムーバブル機器であることを検出する第２の工程と、
前記第２の工程で検出された前記外部機器からデジタル映像信号を取得する第３の工程とを具備することを特徴とする映像再生方法。
【発明の詳細な説明】
【技術分野】
【０００１】
この発明は、例えばデジタルカメラで撮影されメモリカード等に記録された多数の写真を映像表示するための映像再生装置及び映像再生方法に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した番組をデジタル記録したり、記録した番組を再生したりすることが可能となっている。
【０００４】
さらに、現在では、デジタル放送受信装置に対して、デジタルカメラで撮影されメモリカードに記録された多数の写真を映像表示させる機能も付加されている。この場合、メモリカードには、多数の写真が複数のフォルダに分類されて記録されることになるが、全てのユーザにフォルダの概念を意識させることは困難である。
【０００５】
このため、写真表示機能を備えたデジタル放送受信装置においては、メモリカードに記録された多数の写真を、ユーザにフォルダの概念を意識させることなく、容易かつ迅速にシームレス表示できるようにすることが重要となる。
【０００６】
特許文献１には、所定のディレクトリ名が設定されたディレクトリに格納された画像ファイルのみを表示手段に表示させることができ、ユーザが所望する画像ファイルを容易に選択して表示させることができる技術が開示されている。
【０００７】
また、特許文献２には、記録媒体へのファイルの記録を管理する管理情報を、少なくともファイルの記録先を特定する情報、ファイル番号により形成して保持し、この管理情報の判定により、記録媒体に適宜ディレクトリを作成するとともに、ディレクトリ内においては、ファイル番号が記録順に連続するようにファイル名を設定することにより、ユーザによるファイル管理を簡略化する技術が開示されている。
【０００８】
さらに、特許文献３には、連続する複数の画像をシームレスにつないで１つのパノラマ画像を形成する技術が開示されている。
【特許文献１】特開２００３−２９９００８号公報
【特許文献２】特開２００４−０９６５８２号公報
【特許文献３】特開２００４−０７１６８６号公報
【発明の開示】
【発明が解決しようとする課題】
【０００９】
そこで、この発明は上記事情を考慮してなされたもので、ユーザがフォルダの概念を意識することなく、容易にしかも迅速に記録媒体に記録された多数の写真をシームレス表示することを可能とした映像再生装置及び映像再生方法を提供することを目的とする。
【００１０】
また、この発明は、デジタル映像データを記録可能なリムーバブルな機器が接続されたことを自動的に検出して、その機器からデジタル映像信号を取得可能とした映像再生装置及び映像再生方法を提供することを目的とする。
【課題を解決するための手段】
【００１１】
この発明に係る映像再生装置は、記録媒体が接続されたことを検出する記録媒体検出手段と、記録媒体検出手段により記録媒体の接続が検出されたとき、記録媒体から所定の映像ファイルフォーマット規格に準拠して作成された特定フォルダを検出するフォルダ検出手段と、フォルダ検出手段により特定フォルダが検出されたとき、特定フォルダ内から所定のデジタル映像信号を取得する取得手段と、取得手段で取得したデジタル映像信号を再生し映像表示する表示手段とを備えるようにしたものである。
【００１２】
また、この発明に係る映像再生方法は、記録媒体が接続されたことを検出する工程と、記録媒体の接続が検出されたとき、記録媒体から所定の映像ファイルフォーマット規格に準拠して作成された特定フォルダを検出する工程と、特定フォルダが検出されたとき、特定フォルダ内から所定のデジタル映像信号を取得する工程と、取得したデジタル映像信号を再生し映像表示する工程とを備えるようにしたものである。
【発明の効果】
【００１３】
上記した発明によれば、記録媒体が接続されたとき、その記録媒体に特定フォルダが存在する場合、特定フォルダ内から所定のデジタル映像信号を取得して映像表示するようにしたので、ユーザがフォルダの概念を意識することなく、容易にしかも迅速に記録媒体に記録された多数の写真をシームレス表示することが可能となる。
【発明を実施するための最良の形態】
【００１４】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１５】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１６】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１７】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１８】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１９】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００２０】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００２１】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２２】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２３】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２４】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２５】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２６】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２７】
そして、このチューナ４５で選局された放送信号は、ＰＳＫ（Phase Shift Keying）復調器４６に供給されて、デジタルの映像信号及び音声信号に復調された後、信号処理部４７に出力される。
【００２８】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２９】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００３０】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００３１】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３２】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３３】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３４】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３５】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３６】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３７】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３８】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３９】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００４０】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００４１】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４２】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４３】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４４】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４５】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４６】
図４は、このデジタルテレビジョン放送受信装置１１が、第１のメモリカード１９にデジタルの映像信号として記録されている多数の写真を映像表示する動作を説明するためのフローチャートを示している。
【００４７】
この動作は、ユーザによって第１のメモリカード１９がカードホルダ６６に装着されることにより処理が開始（ステップＳ４ａ）される。まず、制御部６１は、ステップＳ４ｂで、第１のメモリカード１９がカードホルダ６６に装着されたことを検出する。
【００４８】
すると、制御部６１は、ステップＳ４ｃで、第１のメモリカード１９にＪＰＥＧ（Joint Photographic Experts Group）規格に準拠した形態で符号化されて記録されている複数の写真（デジタルの映像信号）を自動的に検索し、検索された各写真を映像表示器１４にシームレスに映像表示させ、処理を終了（ステップＳ４ｄ）する。
【００４９】
この動作によれば、ユーザが第１のメモリカード１９をカードホルダ６６に装着することにより、自動的に第１のメモリカード１９に記録されている写真が検索されシームレスに映像表示されるようにしている。このため、ユーザは、煩雑な操作を行なうことなく、第１のメモリカード１９に記録されている写真を映像表示させることができ、ユーザにとっての取り扱いを容易にすることができる。
【００５０】
図５は、第１のメモリカード１９内におけるディレクトリ構造の一例を示している。このディレクトリ構造は、デジタルカメラ用の映像ファイルフォーマットであるＤＣＦ（Design rule for Camera File system）規格に準拠した階層化形態となっている。
【００５１】
すなわち、階層の最上位にあるルートディレクトリ（ＲＯＯＴ）５ａの下には、動画フォルダ５ｂ及び音声フォルダ５ｃ等が存在する他に、ＤＣＩＭフォルダ５ｄが存在する。このＤＣＩＭフォルダ５ｄは、デジタルカメラで写真を撮影し、そのデジタル映像信号を記録すると自動的に作成されるもので、その下に、撮影したデジタルカメラの製造メーカＡ，Ｂ毎にサブフォルダ５ｅ，５ｆが作成されている。
【００５２】
そして、サブフォルダ５ｅの下には、ＪＰＥＧ規格に準拠した形態の写真を格納したサブフォルダ５ｇと、ＪＰＥＧ以外の規格に準拠した形態の写真を格納したサブフォルダ５ｈが存在する。また、サブフォルダ５ｆの下にも、ＪＰＥＧ規格に準拠した形態の写真を格納したサブフォルダ５ｉが存在している。
【００５３】
図６は、カードホルダ６６に装着された第１のメモリカード１９からＪＰＥＧ規格に準拠した形態で記録されている複数の写真（デジタルの映像信号）を自動的に検索し、検索された各写真を映像表示器１４にシームレスに映像表示させる処理、つまり、図４のステップＳ４ｃの処理動作の第１の例を説明するためのフローチャートを示している。
【００５４】
この動作は、第１のメモリカード１９がカードホルダ６６に装着されたことが検出されることにより処理が開始（ステップＳ６ａ）される。すると、制御部６１は、ステップＳ６ｂで、装着された第１のメモリカード１９にＤＣＩＭフォルダ５ｄが存在しているか否かを判別し、存在していないと判断された場合（ＮＯ）、処理を終了（ステップＳ６ｉ）する。
【００５５】
また、ステップＳ６ｂで、装着された第１のメモリカード１９にＤＣＩＭフォルダ５ｄが存在していると判断された場合（ＹＥＳ）、制御部６１は、ステップＳ６ｃで、ＤＣＩＭフォルダ５ｄの下の階層に、ＪＰＥＧ規格に準拠した形態の写真が存在するか否かを判別し、存在しないと判断された場合（ＮＯ）、処理を終了（ステップＳ６ｉ）する。
【００５６】
一方、ステップＳ６ｃで、ＤＣＩＭフォルダ５ｄの下の階層に、ＪＰＥＧ規格に準拠した写真が存在すると判断された場合（ＹＥＳ）、制御部６１は、ステップＳ６ｄで、アプリケーションを起動し、ステップＳ６ｅで、ＪＰＥＧ規格の全ての写真のデジタル映像信号を（図５ではサブフォルダ５ｇ，５ｉ以下から）取得する。
【００５７】
その後、制御部６１は、ステップＳ６ｆで、取得した写真の枚数が予め設定された最大数を超過したか否かを判別し、超過していないと判断された場合（ＮＯ）、ステップＳ６ｇで、ＪＰＥＧ規格に準拠した全ての写真のデジタル映像信号の取得が完了したか否かを判別し、全ての取得が完了していないと判断された場合（ＮＯ）、ステップＳ６ｅの処理に戻される。
【００５８】
そして、ステップＳ６ｇで、ＪＰＥＧ規格に準拠した全ての写真のデジタル映像信号の取得が完了したと判断された場合（ＹＥＳ）、また、上記ステップＳ６ｆで、取得した写真の枚数が予め設定された最大数を超過したと判断された場合（ＹＥＳ）、制御部６１は、ステップＳ６ｈで、取得した写真を映像表示器１４にシームレスに映像表示させて、処理を終了（ステップＳ６ｉ）する。
【００５９】
図７は、上記の動作により、映像表示器１４に写真が映像表示された画面の一例を示している。すなわち、画面には、写真再生モードであること、第１のメモリカード１９がＳＤメモリカードであること等が表示される他に、最大で１２枚の写真が同時に映像表示可能となっている。
【００６０】
この場合、リモートコントローラ１７のカーソルキー１７ｆを操作して、カーソルＫを写真１よりもさらに左側に移動させるようにすると、写真１の前に存在する写真が画面に表示され、写真１２が画面から見えなくなる。
【００６１】
逆に、リモートコントローラ１７のカーソルキー１７ｆを操作して、カーソルＫを写真１２よりもさらに右側に移動させるようにすると、写真１２の後に存在する写真が画面に表示され、写真１が画面から見えなくなる。
【００６２】
また、リモートコントローラ１７のページ切換キー１７ｉを操作することにより、表示されている１２個の写真を一気に切り換えることも可能である。
【００６３】
さらに、リモートコントローラ１７のカーソルキー１７ｆを操作してカーソルＫを移動させることにより所望の写真を選択し、決定キー１７ｇを操作することにより、選択した写真を拡大表示させることができる。
【００６４】
また、カーソルＫで指定されている写真については、そのタイトル、フォルダ名、更新日時等の属性情報が適宜表示されるようになっている。
【００６５】
上記した動作によれば、第１のメモリカード１９が装着されたとき、ＤＣＩＭフォルダ５ｄを検出し、その中のＪＰＥＧ規格に準拠した全ての写真のデジタル映像信号を取得してシームレスに映像表示させるようにしている。このため、ユーザがフォルダの概念を意識することなく、容易にしかも迅速に第１のメモリカード１９に記録された多数の写真をシームレス表示することが可能となる。
【００６６】
図８は、カードホルダ６６に装着された第１のメモリカード１９からＪＰＥＧ規格に準拠した形態で記録されている複数の写真（デジタルの映像信号）を自動的に検索し、検索された各写真を映像表示器１４にシームレスに映像表示させる処理、つまり、図４のステップＳ４ｃの処理動作の第２の例を説明するためのフローチャートを示している。
【００６７】
この動作は、第１のメモリカード１９がカードホルダ６６に装着されたことが検出されることにより処理が開始（ステップＳ８ａ）される。すると、制御部６１は、ステップＳ８ｂで、装着された第１のメモリカード１９にＤＣＩＭフォルダ５ｄが存在しているか否かを判別し、存在していないと判断された場合（ＮＯ）、処理を終了（ステップＳ８ｊ）する。
【００６８】
また、ステップＳ８ｂで、装着された第１のメモリカード１９にＤＣＩＭフォルダ５ｄが存在していると判断された場合（ＹＥＳ）、制御部６１は、ステップＳ８ｃで、ＤＣＩＭフォルダ５ｄの下の階層にサブフォルダが存在しているか否かを判別し、存在していないと判断された場合（ＮＯ）、処理を終了（ステップＳ８ｊ）する。
【００６９】
一方、ステップＳ８ｃで、ＤＣＩＭフォルダ５ｄの下の階層にサブフォルダが存在していると判断された場合（ＹＥＳ）、制御部６１は、ステップＳ８ｄで、その中の先頭サブフォルダ（図５では５ｅ）に、ＪＰＥＧ規格に準拠した形態の写真が存在するか否かを判別し、存在しないと判断された場合（ＮＯ）、処理を終了（ステップＳ８ｊ）する。
【００７０】
一方、ステップＳ８ｄで、ＤＣＩＭフォルダ５ｄの下の先頭サブフォルダに、ＪＰＥＧ規格に準拠した写真が存在すると判断された場合（ＹＥＳ）、制御部６１は、ステップＳ８ｅで、アプリケーションを起動し、ステップＳ８ｆで、先頭サブフォルダ５ｅからＪＰＥＧ規格の全ての写真のデジタル映像信号を取得する。
【００７１】
その後、制御部６１は、ステップＳ８ｇで、取得した写真の枚数が予め設定された最大数を超過したか否かを判別し、超過していないと判断された場合（ＮＯ）、ステップＳ８ｈで、先頭サブフォルダ５ｅからＪＰＥＧ規格に準拠した全ての写真のデジタル映像信号の取得が完了したか否かを判別し、全ての取得が完了していないと判断された場合（ＮＯ）、ステップＳ８ｆの処理に戻される。
【００７２】
そして、ステップＳ８ｈで、先頭サブフォルダ５ｅからＪＰＥＧ規格に準拠した全ての写真のデジタル映像信号の取得が完了したと判断された場合（ＹＥＳ）、また、上記ステップＳ８ｇで、取得した写真の枚数が予め設定された最大数を超過したと判断された場合（ＹＥＳ）、制御部６１は、ステップＳ８ｉで、取得した写真を映像表示器１４にシームレスに映像表示させて、処理を終了（ステップＳ８ｊ）する。
【００７３】
上記した動作によれば、第１のメモリカード１９が装着されたとき、ＤＣＩＭフォルダ５ｄを検出し、その下の先頭サブフォルダ５ｅの中のＪＰＥＧ規格に準拠した全ての写真のデジタル映像信号を取得してシームレスに映像表示させるようにしている。このため、ユーザがフォルダの概念を意識することなく、容易にしかも迅速に第１のメモリカード１９に記録された多数の写真をシームレス表示することが可能となる。
【００７４】
図９は、カードホルダ６６に装着された第１のメモリカード１９からＪＰＥＧ規格に準拠した形態で記録されている複数の写真（デジタルの映像信号）を自動的に検索し、検索された各写真を映像表示器１４にシームレスに映像表示させる処理、つまり、図４のステップＳ４ｃの処理動作の第３の例を説明するためのフローチャートを示している。
【００７５】
この動作は、第１のメモリカード１９がカードホルダ６６に装着されたことが検出されることにより処理が開始（ステップＳ９ａ）される。すると、制御部６１は、ステップＳ９ｂで、装着された第１のメモリカード１９にＤＣＩＭフォルダ５ｄが存在しているか否かを判別し、存在していないと判断された場合（ＮＯ）、処理を終了（ステップＳ９ｌ）する。
【００７６】
また、ステップＳ９ｂで、装着された第１のメモリカード１９にＤＣＩＭフォルダ５ｄが存在していると判断された場合（ＹＥＳ）、制御部６１は、ステップＳ９ｃで、ＤＣＩＭフォルダ５ｄの下の階層にサブフォルダが存在しているか否かを判別し、存在していないと判断された場合（ＮＯ）、処理を終了（ステップＳ９ｌ）する。
【００７７】
一方、ステップＳ９ｃで、ＤＣＩＭフォルダ５ｄの下の階層にサブフォルダが存在していると判断された場合（ＹＥＳ）、制御部６１は、ステップＳ９ｄで、その中の最新のサブフォルダに、ＪＰＥＧ規格に準拠した形態の写真が存在するか否かを判別する。
【００７８】
そして、最新のサブフォルダにＪＰＥＧ規格に準拠した形態の写真が存在しないと判断された場合（ＮＯ）、制御部６１は、ステップＳ９ｅで、ＤＣＩＭフォルダ５ｄの下の階層に他のサブフォルダが存在しているか否かを判別し、存在していないと判断された場合（ＮＯ）、処理を終了（ステップＳ９ｌ）する。
【００７９】
また、ステップＳ９ｅで、ＤＣＩＭフォルダ５ｄの下の階層に他のサブフォルダが存在していると判断された場合（ＹＥＳ）、制御部６１は、ステップＳ９ｆで、次に新しいサブフォルダに、ＪＰＥＧ規格に準拠した形態の写真が存在するか否かを判別し、存在しないと判断された場合（ＮＯ）、ステップＳ９ｅの処理に戻される。
【００８０】
そして、ステップＳ９ｆで、次に新しいサブフォルダにＪＰＥＧ規格に準拠した形態の写真が存在すると判断された場合（ＹＥＳ）、また、上記ステップＳ９ｄで、最新のサブフォルダにＪＰＥＧ規格に準拠した形態の写真が存在すると判断された場合（ＹＥＳ）、制御部６１は、ステップＳ９ｇで、アプリケーションを起動し、ステップＳ９ｈで、サブフォルダからＪＰＥＧ規格の全ての写真のデジタル映像信号を取得する。
【００８１】
その後、制御部６１は、ステップＳ９ｉで、取得した写真の枚数が予め設定された最大数を超過したか否かを判別し、超過していないと判断された場合（ＮＯ）、ステップＳ９ｊで、サブフォルダからＪＰＥＧ規格に準拠した全ての写真のデジタル映像信号の取得が完了したか否かを判別し、全ての取得が完了していないと判断された場合（ＮＯ）、ステップＳ９ｈの処理に戻される。
【００８２】
そして、ステップＳ９ｊで、サブフォルダからＪＰＥＧ規格に準拠した全ての写真のデジタル映像信号の取得が完了したと判断された場合（ＹＥＳ）、また、上記ステップＳ９ｉで、取得した写真の枚数が予め設定された最大数を超過したと判断された場合（ＹＥＳ）、制御部６１は、ステップＳ９ｋで、取得した写真を映像表示器１４にシームレスに映像表示させて、処理を終了（ステップＳ９ｌ）する。
【００８３】
上記した動作によれば、第１のメモリカード１９が装着されたとき、ＤＣＩＭフォルダ５ｄを検出し、その下のサブフォルダの中からＪＰＥＧ規格に準拠した写真のデジタル映像信号を有する最新のサブフォルダを検出し、そのサブフォルダからＪＰＥＧ規格に準拠した写真のデジタル映像信号を取得してシームレスに映像表示させるようにしている。このため、ユーザがフォルダの概念を意識することなく、容易にしかも迅速に第１のメモリカード１９に記録された多数の写真をシームレス表示することが可能となる。
【００８４】
図１０は、カードホルダ６６に装着された第１のメモリカード１９からＪＰＥＧ規格に準拠した形態で記録されている複数の写真（デジタルの映像信号）を自動的に検索し、検索された各写真を映像表示器１４にシームレスに映像表示させる処理、つまり、図４のステップＳ４ｃの処理動作の第４の例を説明するためのフローチャートを示している。
【００８５】
この動作は、第１のメモリカード１９がカードホルダ６６に装着されたことが検出されることにより処理が開始（ステップＳ１０ａ）される。すると、制御部６１は、ステップＳ１０ｂで、装着された第１のメモリカード１９にＤＣＩＭフォルダ５ｄが存在しているか否かを判別し、存在していないと判断された場合（ＮＯ）、処理を終了（ステップＳ１０ｋ）する。
【００８６】
また、ステップＳ１０ｂで、装着された第１のメモリカード１９にＤＣＩＭフォルダ５ｄが存在していると判断された場合（ＹＥＳ）、制御部６１は、ステップＳ１０ｃで、ＤＣＩＭフォルダ５ｄの下の階層にサブフォルダが存在しているか否かを判別し、存在していないと判断された場合（ＮＯ）、処理を終了（ステップＳ１０ｋ）する。
【００８７】
一方、ステップＳ１０ｃで、ＤＣＩＭフォルダ５ｄの下の階層にサブフォルダが存在していると判断された場合（ＹＥＳ）、制御部６１は、ステップＳ１０ｄで、ＤＣＩＭフォルダ５ｄの下の階層に存在するサブフォルダの中から、最新更新日時のＪＰＥＧ規格に準拠した形態の写真を有するサブフォルダを検出する。
【００８８】
そして、制御部６１は、ステップＳ１０ｅで、ＤＣＩＭサブフォルダの中にＪＰＥＧ規格に準拠した写真が存在するか否かを判別し、存在しないと判断された場合（ＮＯ）、処理を終了（ステップＳ１０ｋ）する。
【００８９】
また、ステップＳ１０ｅで、検出されたサブフォルダの中にＪＰＥＧ規格に準拠した最新の写真が存在すると判断された場合（ＹＥＳ）、制御部６１は、ステップＳ１０ｆで、アプリケーションを起動し、ステップＳ１０ｇで、そのサブフォルダ内に保存されているＪＰＥＧ規格の全ての写真のデジタル映像信号を取得する。
【００９０】
その後、制御部６１は、ステップＳ１０ｈで、取得した写真の枚数が予め設定された最大数を超過したか否かを判別し、超過していないと判断された場合（ＮＯ）、ステップＳ１０ｉで、ＪＰＥＧ規格に準拠した全ての写真のデジタル映像信号の取得が完了したか否かを判別し、全ての取得が完了していないと判断された場合（ＮＯ）、ステップＳ１０ｇの処理に戻される。
【００９１】
そして、ステップＳ１０ｉで、ＪＰＥＧ規格に準拠した全ての写真のデジタル映像信号の取得が完了したと判断された場合（ＹＥＳ）、また、上記ステップＳ１０ｈで、取得した写真の枚数が予め設定された最大数を超過したと判断された場合（ＹＥＳ）、制御部６１は、ステップＳ１０ｊで、取得した写真を映像表示器１４にシームレスに映像表示させて、処理を終了（ステップＳ１０ｋ）する。
【００９２】
上記した動作によれば、第１のメモリカード１９が装着されたとき、ＤＣＩＭフォルダ５ｄを検出し、その下のサブフォルダから最新更新日時のＪＰＥＧ規格に準拠した形態の写真を有するサブフォルダを検出し、そのサブフォルダからＪＰＥＧ規格に準拠した写真のデジタル映像信号を取得してシームレスに映像表示させるようにしている。このため、ユーザがフォルダの概念を意識することなく、容易にしかも迅速に第１のメモリカード１９に記録された多数の写真をシームレス表示することが可能となる。
【００９３】
図１１は、カードホルダ６６に装着された第１のメモリカード１９からＪＰＥＧ規格に準拠した形態で記録されている複数の写真（デジタルの映像信号）を自動的に検索し、検索された各写真を映像表示器１４にシームレスに映像表示させる処理、つまり、図４のステップＳ４ｃの処理動作の第５の例を説明するためのフローチャートを示している。
【００９４】
この動作は、第１のメモリカード１９がカードホルダ６６に装着されたことが検出されることにより処理が開始（ステップＳ１１ａ）される。すると、制御部６１は、ステップＳ１１ｂで、予め設定された最大階層及び最大パス長（パス制限）の少なくとも一方の範囲内で、第１のメモリカード１９からＪＰＥＧ規格に準拠した形態の写真を検出する。
【００９５】
そして、制御部６１は、ステップＳ１１ｃで、ＪＰＥＧ規格に準拠した形態の写真が存在するか否かを判別し、存在しないと判断された場合（ＮＯ）、処理を終了（ステップＳ１１ｉ）する。
【００９６】
また、ステップＳ１１ｃで、ＪＰＥＧ規格に準拠した写真が存在すると判断された場合（ＹＥＳ）、制御部６１は、ステップＳ１１ｄで、アプリケーションを起動し、ステップＳ１１ｅで、上記した範囲内におけるＪＰＥＧ規格の全ての写真のデジタル映像信号を取得する。
【００９７】
その後、制御部６１は、ステップＳ１１ｆで、取得した写真の枚数が予め設定された最大数を超過したか否かを判別し、超過していないと判断された場合（ＮＯ）、ステップＳ１１ｇで、ＪＰＥＧ規格に準拠した全ての写真のデジタル映像信号の取得が完了したか否かを判別し、全ての取得が完了していないと判断された場合（ＮＯ）、ステップＳ１１ｅの処理に戻される。
【００９８】
そして、ステップＳ１１ｇで、ＪＰＥＧ規格に準拠した全ての写真のデジタル映像信号の取得が完了したと判断された場合（ＹＥＳ）、また、上記ステップＳ１１ｆで、取得した写真の枚数が予め設定された最大数を超過したと判断された場合（ＹＥＳ）、制御部６１は、ステップＳ１１ｈで、取得した写真を映像表示器１４にシームレスに映像表示させて、処理を終了（ステップＳ１１ｉ）する。
【００９９】
上記した動作によれば、第１のメモリカード１９が装着されたとき、予め設定された最大階層及び最大パス長の範囲でＪＰＥＧ規格に準拠した写真のデジタル映像信号を取得してシームレスに映像表示させるようにしている。このため、ユーザがフォルダの概念を意識することなく、容易にしかも迅速に第１のメモリカード１９に記録された多数の写真をシームレス表示することが可能となる。
【０１００】
ここで、予め設定される最大階層としては、例えば５階層程度である。また、パス制限としては、ルートディレクトリから階層を下る経路と、その長さ等を制限している。
【０１０１】
なお、図６乃至図１１に示した５つの例においては、いずれも、取得する写真の枚数を予め設定された最大数までに制限している。これにより、処理時間の短縮を図ることができる。この最大数としては、例えば１０００枚程度であるが、ユーザによって任意に設定可能とすることもできる。
【０１０２】
ここで、上記した実施の形態では、第１のメモリカード１９が装着されたときに、自動的に第１のメモリカード１９に記録されているＪＰＥＧ規格に準拠した写真を検索してシームレスに映像表示することについて説明したが、これは、メモリカードに限らず、写真に対応するデジタル映像信号の記録が可能な外部機器、例えば、デジタルカメラ、携帯電話、カードリーダ／ライタ等のＵＳＢ機器が接続された場合にも、自動的にＵＳＢ機器に保存されているＪＰＥＧ規格に準拠した写真を検索してシームレスに映像表示させることができる。
【０１０３】
図１２は、デジタルテレビジョン放送受信装置１１が、接続されたＵＳＢ機器にデジタルの映像信号として保存されている多数の写真を映像表示する動作を説明するためのフローチャートを示している。
【０１０４】
この動作は、ユーザによってＵＳＢ機器がＵＳＢ端子２３に接続されることにより処理が開始（ステップＳ１２ａ）される。まず、制御部６１は、ステップＳ１２ｂで、ＵＳＢ機器がＵＳＢ端子２３に接続されたことを検出する。
【０１０５】
すると、制御部６１は、ステップＳ１２ｃで、接続されたＵＳＢ機器がデジタル映像信号を記録可能な機器であるか否かを判別するために、マスストレージクラス（Mass Storage Class）であるか否かを判別する。この判別は、ＳＣＳＩ（Small Computer System Interface）コマンドにより、ＵＳＢプロトコル通信の中のDevice Descriptorで判断することができる。
【０１０６】
そして、マスストレージクラスでないと判断された場合（ＮＯ）、制御部６１は、処理を終了（ステップＳ１２ｆ）し、マスストレージクラスであると判断された場合（ＹＥＳ）、ステップＳ１２ｄで、接続されたＵＳＢ機器がリムーバブル機器（デジタルカメラ、携帯電話、カードリーダ／ライタ等の携帯タイプ）であるか否かを判別する。この判別は、ＳＣＳＩコマンドのINQUIRYによりデータを受け取って判断することができる。
【０１０７】
ここで、リムーバブル機器でないと判断された場合（ＮＯ）、制御部６１は、処理を終了（ステップＳ１２ｆ）し、リムーバブル機器であると判断された場合（ＹＥＳ）、ステップＳ１２ｅで、接続されたＵＳＢ機器にＪＰＥＧ規格に準拠した形態で符号化されて記録されている複数の写真（デジタルの映像信号）を自動的に検索し、検索された各写真を映像表示器１４にシームレスに映像表示させ、処理を終了（ステップＳ１２ｆ）する。
【０１０８】
この場合、上記ステップＳ１２ｅの処理には、図６乃至図１１に示した５つの例を適用することが可能である。
【０１０９】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【０１１０】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置がメモリカードから写真を映像表示する動作を説明するために示すフローチャート。
【図５】同実施の形態におけるメモリカード内のディレクトリ構造の一例を説明するために示す図。
【図６】同実施の形態におけるデジタルテレビジョン放送受信装置がメモリカードから写真を映像表示する動作の第１の例を説明するために示すフローチャート。
【図７】同実施の形態におけるデジタルテレビジョン放送受信装置がメモリカードから取得した写真を映像表示させた画面の一例を説明するために示す図。
【図８】同実施の形態におけるデジタルテレビジョン放送受信装置がメモリカードから写真を映像表示する動作の第２の例を説明するために示すフローチャート。
【図９】同実施の形態におけるデジタルテレビジョン放送受信装置がメモリカードから写真を映像表示する動作の第３の例を説明するために示すフローチャート。
【図１０】同実施の形態におけるデジタルテレビジョン放送受信装置がメモリカードから写真を映像表示する動作の第４の例を説明するために示すフローチャート。
【図１１】同実施の形態におけるデジタルテレビジョン放送受信装置がメモリカードから写真を映像表示する動作の第５の例を説明するために示すフローチャート。
【図１２】同実施の形態におけるデジタルテレビジョン放送受信装置がＵＳＢ機器から写真を映像表示する動作を説明するために示すフローチャート。
【符号の説明】
【０１１１】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ。
【図１】
2006074574.tif 000003
【図２】
2006074574.tif 000004
【図３】
2006074574.tif 000005
【図４】
2006074574.tif 000006
【図５】
2006074574.tif 000007
【図６】
2006074574.tif 000008
【図７】
2006074574.tif 000009
【図８】
2006074574.tif 000010
【図９】
2006074574.tif 000011
【図１０】
2006074574.tif 000012
【図１１】
2006074574.tif 000013
【図１２】
2006074574.tif 000014